(57)【要約】【課題】高出力なレーザー光が得られるレーザー光源装置を提供する。【解決手段】本発明のレーザー光源装置は、光を射出する活性層と活性層における光の射出面と反対側に設けられた反射層とを各々が有しレーザー光を射出する一対の発光部１１、１２と、一対の発光部１１、１２の各々から射出されるレーザー光の光軸を折り曲げる光軸変換素子２０Ａと、を備えている。光軸変換素子２０Ａが、一対の発光部１１、１２の一方の発光部１１から射出されるレーザー光を反射させる第１面２３１Ａと、一対の発光部１１、１２の他方の発光部１２から射出されるレーザー光を反射させる第２面２３２Ａと、を有しており、第１面２３１Ａで反射したレーザー光を第２面２３２Ａを経て他方の発光部１２に向けて射出させるとともに第２面２３２Ａで反射したレーザー光を第１面２３１Ａを経て一方の発光部１１に向けて射出させる。【選択図】図１
2011142243.tif 000002
【特許請求の範囲】
【請求項１】
光を射出する活性層と該活性層における光の射出面と反対側に設けられた反射層とを各々が有しレーザー光を射出する一対の発光部と、
前記一対の発光部の各々から射出されるレーザー光の光軸を折り曲げる光軸変換素子と、を備え、
前記光軸変換素子が、前記一対の発光部の一方の発光部から射出されるレーザー光を反射させる第１面と、前記一対の発光部の他方の発光部から射出されるレーザー光を反射させる第２面と、を有しており、前記第１面で反射したレーザー光を前記第２面を経て前記他方の発光部に向けて射出させるとともに前記第２面で反射したレーザー光を前記第１面を経て前記一方の発光部に向けて射出させることを特徴とするレーザー光源装置。
【請求項２】
前記一対の発光部は、共通の基板上に形成されており、該一対の発光部から互いに平行な光軸のレーザー光が射出されるように配置されていることを特徴とする請求項１に記載のレーザー光源装置。
【請求項３】
前記基板上に複数組の前記一対の発光部が形成されていることを特徴とする請求項２に記載のレーザー光源装置。
【請求項４】
前記複数組の一対の発光部を構成する各々の発光部が、１つの配列方向に沿って配列されていることを特徴とする請求項３に記載のレーザー光源装置。
【請求項５】
前記複数組の一対の発光部を構成する各々の一対の発光部が、前記一対の発光部における発光部の配列方向と交差する方向に配列されていることを特徴とする請求項３に記載のレーザー光源装。
【請求項６】
前記複数組の前記一対の発光部で共通して１つの前記光軸変換素子が設けられていることを特徴とする請求項３〜５のいずれか一項に記載のレーザー光源装置。
【請求項７】
前記第１面が、前記第２面と直交していることを特徴とする請求項２〜６のいずれか一項に記載のレーザー光源装置。
【請求項８】
少なくとも前記一方の発光部と前記光軸変換素子との間の光路に配置され、入射する基本波長のレーザー光の少なくとも一部を前記基本波長と異なる変換波長のレーザー光に変換して射出する波長変換素子を有しており、前記第１面及び前記第２面の各々が、前記基本波長のレーザー光を反射させるとともに前記変換波長のレーザー光を透過させる光分離膜により構成されていることを特徴とする請求項１〜７のいずれか一項に記載のレーザー光源装置。
【請求項９】
前記波長変換素子が、前記一方の発光部と前記光軸変換素子との間の光路、及び前記他方の発光部と前記光軸変換素子との間の光路に設けられていることを特徴とする請求項８に記載のレーザー光源装置。
【請求項１０】
前記光分離膜において、入射する偏光の反射率が前記偏光の偏光方向によって異なっていることを特徴とする請求項８又は９に記載のレーザー光源装置。
【請求項１１】
前記一方の発光部と前記他方の発光部との間を往復するレーザー光の光路間に所定波長帯域のレーザー光を透過させるバンドパスフィルターが設けられていることを特徴とする請求項８〜１０のいずれか一項に記載のレーザー光源装置。
【請求項１２】
前記光軸変換素子において前記一対の発光部の各々から射出されたレーザー光が入射する面に反射防止膜が設けられていることを特徴とする請求項１〜１１のいずれか一項に記載のレーザー光源装置。
【請求項１３】
請求項１〜１２のいずれか１項に記載のレーザー光源装置と、
該レーザー光源装置から射出されたレーザー光を変調する光変調装置と、
前記変調装置によって変調されたレーザー光を投射する投射装置と、を備えていることを特徴とするプロジェクター。
【請求項１４】
請求項１〜１２のいずれか１項に記載のレーザー光源装置と、
該レーザー光源装置によって照明された被写体を撮像する撮像装置と、を備えていることを特徴とするモニター装置。
【発明の詳細な説明】
【技術分野】
【０００１】
本発明は、レーザー光源装置、プロジェクター、モニター装置に関する。
【背景技術】
【０００２】
従来からプロジェクター等の光学装置の分野では、照明光源として高圧水銀ランプが多用されている。高圧水銀ランプには、高出力な光が得られるという利点があるが、色再現性に制約があること、瞬時点灯が難しいこと、寿命が短いこと等の課題もある。このような事情により、高圧水銀ランプに代わる高出力な光源としてレーザー光源装置が期待されている。
【０００３】
このようなレーザー光源装置として、外部共振器と波長変換素子とを備えたものが提案されている（例えば、特許文献１）。特許文献１のレーザー装置（レーザー光源装置）は、励起用半導体レーザー、発光部（エミッター）、出力ミラー、及び発光部と出力ミラーとの間に配置された波長変換素子を備えている。発光部は、励起用半導体レーザーからエネルギーを供給されて基本波長のレーザー光を発する発光層（活性層）と、励起用半導体レーザーと発光層との間に設けられ基本波長のレーザー光を反射させる誘電体多層膜ミラー（反射層）とを有している。波長変換素子は、入射した基本波長のレーザー光の一部を２次高調波等の変換波長のレーザー光に変換し、出力ミラーは、基本波長のレーザー光を反射させるとともに変換波長のレーザー光を透過させる。
【０００４】
このような構成により、発光部から射出された基本波長のレーザー光は、その一部が波長変換素子により変換波長のレーザー光に変換される。変換波長のレーザー光は、出力ミラーを透過して取り出される。出力ミラーと発光部とは高精度に位置合わせされており、波長変換素子で変換されなかった基本波長のレーザー光は、出力ミラーで反射した後に発光部に入射し誘電体多層膜ミラーで反射する。このように基本波長のレーザー光は、出力ミラーと誘電体多層膜ミラーとの間を往復し、往路と帰路とで光路が一致することにより共振する。共振により基本波長のレーザー光が増幅され、これが変換波長のレーザー光に変換されて取り出されることにより高出力な所望波長のレーザー光が得られる。
【０００５】
このようなレーザー装置にあっては、発光部と出力ミラーとを高精度に位置合わせすることが極めて重要である。発光部と出力ミラーとに位置ずれを生じていると、基本波長のレーザー光の光束が往路と帰路とで重ならなくなり共振が得られなくなることや、出力ミラーで反射した基本波長のレーザー光が発光部に入射しなくなり光の利用効率が低下してしまうこと等の不都合を生じるからである。
【先行技術文献】
【特許文献】
【０００６】
【特許文献１】特開平７−９９３６０号公報
【発明の概要】
【発明が解決しようとする課題】
【０００７】
特許文献１のレーザー装置によれば、高出力かつ所望波長のレーザー光が得られると考えられる。しかしながら、さらなる高出力化を図るためには、改善すべき点がある。
特許文献１の技術を用いて高出力化を図る手法としては、複数のレーザー装置を設けるとともに射出される複数のレーザー光を束ねて射出することが考えられる。この手法によると、並列するレーザー装置の数に比例して部品数が増加し、装置の大型化や高コスト化を招いてしまう。そこで、複数のレーザー装置において一部の構成要素を共通に用いて低コスト化を図る手法も考えられる。例えば、複数の発光部を用いるとともに、外部共振器や波長変換素子を複数の発光部で共通にすることにより１つのレーザー装置を構成する手法である。
【０００８】
しかしながら、前記のように１つの発光部を用いる場合でも構成要素の高精度な位置合わせが要求されており、複数の発光部を用いるとさらに高精度な位置合わせが必要になる。位置合わせの精度が不十分であると、構成要素が増えたことにより累積の位置ずれが大きくなり、結果的に所望出力のレーザー光が得られなくなるからである。このような観点で高精度な位置合わせを行うと、製造効率が低下してしまうことにより高出力化に対応することが現実的でなくなる。
【０００９】
本発明は、前記事情に鑑み成されたものであって、高出力化に対応可能なレーザー光源装置を提供することを目的の１つとする。また、このようなレーザー光源装置を備えた良好なプロジェクター、モニター装置を提供することを目的の１つとする。
【課題を解決するための手段】
【００１０】
本発明のレーザー光源装置は、光を射出する活性層と該活性層における光の射出面と反対側に設けられた反射層とを各々が有しレーザー光を射出する一対の発光部と、前記一対の発光部の各々から射出されるレーザー光の光軸を折り曲げる光軸変換素子と、を備え、前記光軸変換素子が、前記一対の発光部の一方の発光部から射出されるレーザー光を反射させる第１面と、前記一対の発光部の他方の発光部から射出されるレーザー光を反射させる第２面と、を有しており、前記第１面で反射したレーザー光を前記第２面を経て前記他方の発光部に向けて射出させるとともに前記第２面で反射したレーザー光を前記第１面を経て前記一方の発光部に向けて射出させることを特徴とする。
【００１１】
このようにすれば、一方の発光部から光軸変換素子に入射したレーザー光が、他方の発光部に向けて射出されるとともに、他方の発光部から光軸変換素子に入射したレーザー光が、一方の発光部に向けて射出される。これにより、一方の発光部から射出されたレーザー光と他方の発光部から射出されたレーザー光とが、一対の発光部の間の光路で共振する。一対の発光部から射出されたレーザー光を互いに共振させると、１つの発光部から射出されたレーザー光を共振させる場合に比べて発光量が増えることに加えて、連続的な誘導放出を生じることによりレーザー光が増幅される。このようにしてゲインが格段に高くなり、高出力なレーザー光が得られるレーザー光源装置となる。
【００１２】
また、一対の発光部から射出されるレーザー光を１つの光軸変換素子によって、共振させかつ取り出すので、複数の独立した反射部材からなる光学系により共振させるよりも部品数が少なくなる。したがって、部品間の位置合わせの回数が少なくなり、位置合わせが容易になるとともに位置ずれを低減することができる。よって、一対の発光部の間の光路で良好にレーザー光を共振させることができ、格段に高出力なレーザー光が得られる光源装置となる。
【００１３】
また、前記一対の発光部は、共通の基板上に形成されており、該一対の発光部から互いに平行な光軸のレーザー光が射出されるように配置されていることが好ましい。
このようにすれば、一対の発光部と基板とが一体になるので、基板と光軸変換素子との位置合わせを行うことにより、一方の発光部と光軸変換素子と位置合わせ、及び他方の発光部と光軸変換素子との位置合わせを一括して行うことができ、容易にかつ高精度に位置合わせを行うことができる。また、独立した部品として設けられた２つの発光部に対して位置合わせを行うことによりこれらを一対にする場合には、位置精度が位置合わせ用治具の機械精度により定まるが、前記の構成によれば一対の発光部の位置精度が発光部の形成時の加工精度により定まる。形成時の加工精度は、位置合わせ用治具の機械精度よりも格段に高精度であるので、一対の発光部の位置精度が格段に高くなる。
【００１４】
また、前記基板上に複数組の前記一対の発光部が形成されていることが好ましく、この場合には、前記複数組の一対の発光部を構成する各々の発光部が、１つの配列方向に沿って配列されてもよいし、また前記複数組の一対の発光部を構成する各々の一対の発光部が、前記一対の発光部における発光部の配列方向と交差する方向に配列されていてもよい。
【００１５】
基板上に複数組の一対の発光部が形成されていれば、１組の一対の発光部のみが形成されている場合よりも、レーザー光源装置から射出されるレーザー光の総出力が格段に高くなる。複数組の一対の発光部を構成する各々の発光部が１つの配列方向に沿って配列されていれば帯状のレーザー光が得られるレーザー光源装置となる。複数組の一対の発光部を構成する各々の一対の発光部が、一対の発光部における発光部の配列方向と交差する方向に配列されていれば、面状のレーザー光が得られるレーザー光源装置となる。このように、取り出されるレーザー光の全体としての断面形状が調整可能になるので、幅広い用途に対応可能なレーザー光源装置になる。
【００１６】
また、前記複数組の前記一対の発光部で共通して１つの前記光軸変換素子が設けられている構成としてもよい。
複数組の一対の発光部で共通して１つ光軸変換素子が設けられていれば、基板と光軸変換素子との位置合わせを行うことにより、複数組の各々と光軸変換素子との位置合わせを一括して行うことができ、格段に位置合わせが容易になる。
【００１７】
また、前記第１面が、前記第２面と直交していることが好ましい。
このようにすれば、一方の発光部から射出されたレーザー光が第１面、第２面でこの順に反射して他方の発光部に向けて射出される。また、他方の発光部から射出されたレーザー光が第２面、第１面でこの順に反射して一方の発光部に向けて射出される。このようにすれば、第１面と第２面とが直交している光軸変換素子、すなわち単純な形状の光軸変換素子によりレーザー光を共振させることができるので、複雑な形状の光軸変換素子を採用する場合よりもレーザー光源装置を構成することが容易になる。
【００１８】
また、少なくとも前記一方の発光部と前記光軸変換素子との間の光路に配置され、入射する基本波長のレーザー光の少なくとも一部を前記基本波長と異なる変換波長のレーザー光に変換して射出する波長変換素子を有しており、前記第１面及び前記第２面の各々が、前記基本波長のレーザー光を反射させるとともに前記変換波長のレーザー光を透過させる光分離膜により構成されていてもよい。この場合には、前記波長変換素子が、前記一方の発光部と前記光軸変換素子との間の光路、及び前記他方の発光部と前記光軸変換素子との間の光路に設けられている構成としてもよい。また、前記光分離膜において、入射する偏光の反射率が前記偏光の偏光方向によって異なっている構成としてもよい。
【００１９】
基本波長のレーザー光を変換波長のレーザー光に変換する波長変換素子を有しており、第１面及び前記第２面の各々が変換波長のレーザー光を透過させる光分離膜により構成されていれば、変換波長に変換されたレーザー光が第１面及び第２面から取り出される。また、発光部から直接得られない波長のレーザー光を取り出すことが可能になり、高出力かつ所望波長のレーザー光が得られるレーザー光源装置となる。
【００２０】
また、波長変換素子が、一方の発光部と光軸変換素子との間の光路、及び他方の発光部と光軸変換素子との間の光路に設けられていれば、一対の発光部の各々から射出されたレーザー光を変換波長のレーザー光に効率よく変換することができる。すなわち、一方の発光部と光軸変換素子との間の光路に設けられた波長変換素子によって変換波長のレーザー光に変換されなかったレーザー光は、他方の発光部と光軸変換素子との間の光路に設けられた波長変換素子を通り、その一部が変換波長のレーザー光に変換される。このように一方の発光部から射出されるレーザー光は、他方の発光部に到達するまでに波長変換素子を２回通るので波長変換素子の内部を通る光路が長くなり、所定波長のレーザー光に効率よく変換される。
【００２１】
また、光分離膜において、入射する偏光の反射率が前記偏光の偏光方向によって異なっていれば、光分離膜において反射率が高い偏光方向の偏光が第１面及び第２面で反射しやすくなる。したがって、この偏光は一対の発光部の間の光路を往復する回数が多くなり、良好に共振するとともに波長変換素子によって所定波長のレーザー光に変換される。また、波長変換素子の偏光依存性に応じて、変換に適した偏光を波長変換素子に入射させることが可能になる。よって、第１面及び第２面から格段に高出力な所望波長のレーザー光を取り出すことが可能になる。
【００２２】
また、前記一方の発光部と前記他方の発光部との間を往復するレーザー光の光路間に所定波長帯域のレーザー光を透過させるバンドパスフィルターが設けられているが好ましい。
このようにすれば、一対の発光部の間を往復するレーザー光の波長帯域がバンドパスフィルターによって規定され、所定波長帯域のレーザー光を選択的に共振させることができる。また、レーザー光が波長変換素子を複数回数通ることにより、所望波長と異なる高次高調波を生じた場合でもこれをバンドパスフィルターにより除くことができるので、所望波長のレーザー光が得られるようになる。
【００２３】
また、前記光軸変換素子において前記一対の発光部の各々から射出されたレーザー光が入射する面に反射防止膜が設けられていることが好ましい。
このようにすれば、一方の発光部から射出されたレーザー光が、前記の面で反射しなくなるので、反射による損失を生じることなく光軸変換素子に入射し、他方の発光部側に射出される。これにより、一対の発光部の間の光路でレーザー光を良好に共振させることができるとともに、共振したレーザー光を波長変換素子によって変換波長のレーザー光に効率よく変換することができる。また、波長変換素子によって変換された変換波長のレーザー光が、光軸変換素子の前記の面で反射しなくなるので、反射による損失を生じることなく光軸変換素子に入射し、第１面又は第２面から効率よく取り出される。
【００２４】
本発明のプロジェクターは、前記の本発明のレーザー光源装置と、該レーザー光源装置から射出されたレーザー光を変調する光変調装置と、前記変調装置によって変調されたレーザー光を投射する投射装置と、を備えていることを特徴とする。
本発明のレーザー光源装置によれば高出力なレーザー光が得られるので、前記の構成によれば高出力なレーザー光が光変調装置によって変調された後に投射装置によって投射される。したがって、高輝度の投射画像を得ることができ、ダイナミックレンジが広く高品質な投射画像が得られるプロジェクターとなる。
【００２５】
本発明のモニター装置は、前記の本発明のレーザー光源装置と、該レーザー光源装置によって照明された被写体を撮像する撮像装置と、を備えていることを特徴とする。
本発明のレーザー光源装置によれば高出力なレーザー光が得られるので、高出力なレーザー光で被写体を照明することができる。したがって、被写体で反射する光の光量が確保され、これを撮像することにより鮮明な撮像画像が得られる良好なモニター装置となる。
【図面の簡単な説明】
【００２６】
【図１】（ａ）、（ｂ）は、第１実施形態のレーザー光源装置の概略構成図である。
【図２】（ａ）、（ｂ）は、それぞれ変形例１、２の概略構成図である。
【図３】（ａ）は変形例３の概略構成図、（ｂ）は光軸と部材との関係図である。
【図４】第２実施形態のレーザー光源装置の概略構成図である。
【図５】変形例４の概略構成図である。
【図６】（ａ）、（ｂ）は、それぞれ第３実施形態、変形例５の概略構成図である。
【図７】プロジェクターを示す概略構成図である。
【図８】走査型プロジェクターを示す概略構成図である。
【図９】モニター装置を示す概略構成図である。
【発明を実施するための形態】
【００２７】
以下、本発明に係る第１〜第３実施形態を説明するが、本発明の技術範囲は以下の実施形態に限定されるものではない。以降の説明では図面を用いて各種の構造を例示するが、構造の特徴的な部分を分かりやすく示すために、図面中の構造はその寸法や縮尺を実際の構造に対して異ならせて示す場合がある。
【００２８】
図１（ａ）、（ｂ）は、第１実施形態のレーザー光源装置１００Ａの概略構成図であり、図１（ａ）には一方の発光部から射出されるレーザー光を、図１（ｂ）には他方の発光部からレーザー光を模式的に図示している。図１（ａ）に示すようにレーザー光源装置１００Ａは、エミッター（発光部）１１及びエミッター１２からなる一対のエミッターと、光軸変換素子２０Ａとを備えている。本実施形態のエミッター１１及びエミッター１２は、基板１０に一括して形成されて１つの半導体レーザーを構成しており、基板１０においてエミッター１１及びエミッター１２が配置された面（以下、エミッター形成面と称す）に対向して光軸変換素子２０Ａが配置されている。
【００２９】
以下、図１（ａ）に示したＸＹＺ直交座標系を設定し、これに基づいて部材の位置関係を説明する。このＸＹＺ直交座標系において、前記エミッター形成面に沿う方向のうちのエミッター１１、１２が並ぶ方向をＸ方向、Ｘ方向と直交する方向をＺ方向、基板１０の厚み方向をＹ方向としている。また、エミッター１１からエミッター１２に向かう方向をＸ正方向としており、基板１０から光軸変換素子２０Ａに向かう方向をＹ正方向としている。
【００３０】
エミッター１１は、ＤＢＲ層（反射層）１１ａとＤＢＲ層１１ａ上（Ｙ正方向側）に設けられた活性層１１ｂとを有している。エミッター１２は、エミッター１１と同様の構成になっており、ＤＢＲ層１２ａと活性層１２ｂとを有している。本実施形態のエミッター１１は、活性層１１ｂ、１２ｂから発せられた光がエミッター１１内で共振することにより、レーザー発振を生じて基本波長のレーザー光を射出するようになっている。ここでは、基本波長のレーザー光として、波長が１０６４ｎｍの赤外レーザー光が、エミッター１１からＹ正方向側に射出される。エミッター１２もエミッター１１と同様になっており、エミッター１１から射出される赤外レーザー光Ｌ１とエミッター１２から射出される赤外レーザー光Ｌ２は、各々の光束の中心軸（光軸）が平行になるようになっている。すなわち、赤外レーザー光Ｌ１、Ｌ２はいずれもエミッター形成面の法線方向に、光軸変換素子２０Ａに向けて射出される。
【００３１】
本実施形態の光軸変換素子２０Ａは、断面形状が略直角二等辺三角形の三角柱状のプリズム２１Ａ、２２Ａ、２３Ａを組み合わせたものであり、その断面形状が略長方形になっている。プリズム２１Ａ、２２Ａは、同じ大きさのものであり、直角二等辺三角形の互いに直交する２辺のうちの片方と平行な面がＸ方向と平行になっている。また、プリズム２１Ａ、２２Ａは、各々のＸ方向と平行な面が連続するように、Ｘ方向に並んで配置されている。プリズム２３Ａは、直角二等辺三角形の互いに直交する２辺に対応する面が、それぞれプリズム２１Ａ、２２Ａに当接しており、直角二等辺三角形の斜辺と平行な面がＸ方向と平行になっている。プリズム２３Ａは、直角二等辺三角形の互いに直交する２辺に対応し互いに直交する第１面２３１Ａ、第２面２３２Ａと、直角二等辺三角形の斜辺に対応する第３面２３３Ａとを有している。光軸変換素子２０Ａは、第３面２３３Ａが赤外レーザー光Ｌ１、Ｌ２と直交するように配置されている。
【００３２】
第１面２３１Ａ及び第２面２３２Ａは、基板１０のエミッター形成面の法線方向と４５°の角度をなしており、入射した赤外レーザー光の一部を反射させるとともに残りを透過させるハーフミラーになっている。これにより、エミッター１１から射出された赤外レーザー光Ｌ１は、その一部が第１面２３１Ａで反射するとともにその残りが第１面２３１Ａを通りプリズム２１Ａを介して射出される。射出される赤外レーザー光Ｌ１２の光軸は、プリズム２１Ａを設けておりプリズム２１Ａ、２３Ａとの間で屈折率の違いがほとんどないので、エミッター１１と光軸変換素子２０Ａとの間の光軸と同じ方向になる。
【００３３】
第１面２３１Ａにおける赤外レーザー光Ｌ１の入射角が４５°であるから、反射した赤外レーザー光Ｌ１１は、進行方向が入射前の赤外レーザー光Ｌ１よりも第２面２３２Ａ側に９０°変化する。そして、第２面２３２Ａに入射角４５°で入射して反射し、その進行方向が再度９０°変化することにより光軸変換素子２０Ａから基板１０に向けて射出される。光軸変換素子２０Ａと基板１０とは、エミッター形成面に沿う方向（Ｘ方向、Ｚ方向）の相対位置が調整されており、これにより赤外レーザー光Ｌ１３が光軸変換素子２０Ａを経てエミッター１２に向けて入射する。エミッター１２に入射した赤外レーザー光Ｌ１３は、ＤＢＲ層１２ａで反射し活性層１２ｂから発せられた赤外レーザー光とともにエミッター１２から射出される。
【００３４】
また、エミッター１２から射出された赤外レーザー光Ｌ２も同様に、光軸変換素子２０Ａに入射した後に第２面２３２Ａで反射しその進行方向が９０°変化する。そして、第１面２３１Ａで反射するとともに進行方向が再度９０°変化して、光軸変換素子２０Ａを経てエミッター１１に入射する。エミッター１１に入射した赤外レーザー光Ｌ２３は、ＤＢＲ層１１ａで反射し活性層１１ｂから発せられた赤外レーザー光Ｌ１ととともにエミッター１１から射出される。
このようにエミッター１１、１２の各々から射出された赤外レーザー光Ｌ１、Ｌ２は、エミッター１１、１２の間の光路を往復するようになっている。
【００３５】
エミッター１１、１２の各々から射出された赤外レーザー光Ｌ１、Ｌ２は、エミッター１１、１２の間の光路が一致することにより共振する。エミッター１１、１２の間の光路長は、基板１０と光軸変換素子２０Ａとの間の距離、すなわちＹ方向の相対位置を調整することにより、共振に適した長さになっている。共振した赤外レーザー光が第１面２３１Ａに入射すると、その一部が反射するとともに残りが第１面２３１Ａを通りプリズム２１Ａを介して射出される。このようにして、共振した赤外レーザー光がプリズム２１Ａから取り出されるとともに、同様にしてプリズム２２Ａからも取り出される。
【００３６】
レーザー光源装置１００Ａによれば、共振した赤外レーザー光が取り出されるので、高出力な赤外レーザー光を得ることができる。エミッター１１から射出された赤外レーザー光Ｌ１とエミッター１２から射出された赤外レーザー光Ｌ２とを共振させるので、１つのエミッターから射出される赤外レーザー光を共振させるよりも格段に高出力な赤外レーザー光が得られる。また、連続的な誘導放出を生じるようになるので、エミッターの個数に応じた倍率（ここでは２倍）よりも高出力なレーザー光が得られる。
【００３７】
また、光軸変換素子２０Ａが、第１面２３１Ａ、第２面２３２Ａを有する１つの素子であるので、互いに独立した複数の部品からなる光学系により外部共振器を構成するよりも、位置合わせの回数が少なくなる。
例えば、一対のハーフミラー、及び一対の発光部の４つの部品を用いてレーザー発振を得るためには、４つの部品間で位置合わせを行う必要がある。位置合わせとしては少なくとも、一対の発光部の各々から射出される赤外レーザー光の光束を互いに重ね合わせる位置合わせと、共振させるために一対の発光部間の光路長を調整するための位置合わせとが必要であると考えられる。したがって、部品数が増えると位置合わせ回数が飛躍的に増えてしまう。
一方、本実施形態のレーザー光源装置１００Ａにあっては、エミッター１１、エミッター１２、光軸変換素子２０Ａの合計３つの構成要素間で位置合わせを行えばよい。さらに、エミッター１１、１２が基板１０と一体になっているので、基板１０と光軸変換素子２０Ａとの位置合わせを行うことにより、エミッター１１と光軸変換素子２０との位置合わせとエミッター１２と光軸変換素子２０Ａとの位置合わせとを一括して行うことができる。例えば、エミッター１１とエミッター１２との中心位置を光軸変換素子２０Ａの中心位置とを合わせることにより、赤外レーザー光Ｌ１、Ｌ２の光軸を重ね合わせることができる。また、このような状態で光軸変換素子２０Ａと基板１０との間隔（Ｙ方向の相対位置）を調整することにより、エミッター１１、１２の間の光路長を共振に適した長さに調整することができる。このようにレーザー光源装置の製造工程における工数を減らすことができ、また赤外レーザー光を良好に共振させることができるので高出力な赤外レーザー光が得られるようになる。すなわち、１回あたりの位置合わせ精度が同じであれば、位置合わせ回数が少ないほど累積の位置誤差が小さくなるので、共振させる赤外レーザー光の光束が重なり合う部分の面積が大きくなり、効率よく共振させることができる。
【００３８】
また、エミッター１１、１２は、基板１０に一括して形成されているので、これらの相対位置の精度はエミッター１１、１２の形成工程における加工精度により定まる。したがって、これらが独立した部品であり位置合わせを行って配置する場合よりも、エミッター１１、１２の相対位置が格段に高精度となる。例えば、形成工程におけるフォトリソグラフィ法等による加工精度は数十ｎｍ程度であるのに対し、ＸＹステージ等の位置合わせ用治具により一対とする場合にはその機械精度は数μｍ程度である。このように相対位置を格段に高精度にすることができるので、共振の効率を向上させることができる。
【００３９】
なお、第１面２３１Ａや第２面２３２Ａは、入射光を透過光と反射光とに分離するものであればよく、ハーフミラーの他にも偏光ビームスプリッター膜やワイヤーグリッド等の偏光分離手段を用いてもよい。
また、一対のエミッターを１つの基板に設ける場合において、Ｙ方向における一方のエミッターの位置と、他方のエミッターの位置とが一致していなくてもよい。例えば、基板のエミッター形成面に段差が設けられており、一方のエミッターが上段面に形成されているとともに他方のエミッターが下段面に形成されていてもよい。この場合にも、基板と光軸変換素子との距離を調整することにより光路長を調整することができるので、位置合わせの容易性は前記実施形態と同様である。
また、エミッター１１、１２と同様の一対のエミッターをＺ方向に複数組配置してもよく、これにより取り出されるレーザー光の総出力を高めることができる。
また、光軸変換素子としては、断面形状が直角二等辺三角形以外のものを用いることもでき、具体的には以下の変形例１〜３のようなものが挙げられる。
【００４０】
図２は、第１実施形態と光軸変換素子の形状が異なる変形例１のレーザー光源装置１００Ｂの概略構成を示す模式図である。レーザー光源装置１００Ｂの光軸変換素子２０Ｂは、断面形状が直角三角形のプリズム２１Ｂ、２２Ｂ、２３Ｂを組み合わせたものであり、エミッター１１、１２から射出される赤外レーザー光が、プリズム２３Ｂに入射するようになっている。プリズム２３Ｂは、直角三角形の斜辺を含んだ第３面２３３Ｂの法線方向がエミッター１１、１２から射出される赤外レーザー光の光軸に対して傾斜している。エミッター１１から射出された赤外レーザー光は、第３面２３３Ｂで屈折してプリズム２３Ｂに入射する。プリズム２３に入射した赤外レーザー光は、第１面２３１Ｂ、第２面２３２Ｂで順に反射して光軸が変化し、第３面２３３Ｂで再度屈折してエミッター１２に向けて射出される。このようなレーザー光源装置１００Ｂにおいても、基本波長のレーザー光を共振させることができ、高出力なレーザー光が取り出される。なお、変形例１において、第３面２３３Ｂの反射防止膜を設けてもよいし、プリズム２３Ｂとエミッター１１、１２との間に屈折や反射を防止するプリズムを配置してもよい。
【００４１】
図３は、変形例２のレーザー光源装置１００Ｃの概略構成を示す模式図である。レーザー光源装置２００Ｃの光軸変換素子２０Ｃは、プリズム２１Ｃ、２２Ｃ、２３Ｃ、２４Ｃを組み合わせたものであり、プリズム２１Ｃ、２２Ｃ、２３Ｃは変形例１のプリズム２１Ｂ、２２Ｂ、２３Ｂと同様のものである。エミッター１１、１２から射出される赤外レーザー光は、プリズム２４Ｃを経てプリズム２３Ｃに入射するようになっている。プリズム２４Ｃにおいてエミッター１１、１２に対向する面は、エミッター１１、１２から射出される赤外レーザー光の光軸と直交している。これにより、プリズム２４Ｃの表面における反射が防止される。
【００４２】
図３（ａ）は、変形例３のレーザー光源装置１００Ｄの概略構成を示す模式図であり、図３（ｂ）はレーザー光源装置１００Ｄにおける光軸が、光軸変換素子の各面となす角度を示す図である。光軸変換素子２０Ｄは、断面形状が等脚台形になっており、台形の互いに平行な２辺のうちの一方の辺に平行な第３面２３３Ｄがエミッター形成面の法線方向と直交するように配置されている。第３面２３３Ｄと平行な第４面２３４Ｄは、赤外レーザー光Ｌ１、Ｌ２を全反射するミラー面になっている。また、第３面２３３Ｄと第４面２３４Ｄとの間の第１面２３１Ｄ、第２面２３２Ｄは、いずれも第３面２３３Ｄと（π／２−α）［°］の角度をなしており、第４面２３４Ｄと（π／２‐２α）［°］の角度をなしている。第１面２３１Ｄ、第２面２３２Ｄは、いずれも第１実施形態と同様にハーフミラーになっている。図２（ｂ）には、α＝３０°の場合を図示しているが、０°＜α＜４５°の範囲であれば同様の結果が得られる。また、α＝４５°の場合には第１実施形態と同様になる。以下、α＝３０°の場合について説明する。
【００４３】
エミッター１１から射出された赤外レーザー光Ｌ１は、入射角３０°で第１面２３１Ｄに入射しその一部が第１面２３１Ｄで反射する。反射した赤外レーザー光Ｌ１１は、入射角３０°で第４面２３４Ｄに入射し第４面２３４Ｄで反射した後、入射角３０°で第２面２３２Ｄに入射しその一部が第２面２３２Ｄで反射する。第２面２３２Ｄで反射した赤外レーザー光Ｌ１３は、エミッター１２に向けて射出される。
エミッター１２から射出された赤外レーザー光Ｌ２も同様に、光軸変換素子２０Ｄに入射した後、エミッター１１に向けて射出される。このようにして、赤外レーザー光Ｌ１、Ｌ２をエミッター１１、１２の間の光路で共振させることができる。
【００４４】
一般に、光軸変換素子としては、正２ｎ角形（ｎは２以上の整数）をその中心及び１つの頂点を通る線で切断した形状を断面形状とする柱状のものであれば適用可能である。例えば、第１実施形態はｎ＝２に相当し、変形例１でα＝３０°としたものはｎ＝３に相当する。ｎが小さいほど第１面のエミッター形成面への投影面積が大きくなるのでエミッターの配置自由度が高くなる。また、ｎが小さいほど光軸変換素子の形成が容易になる。すなわち、レーザー光源装置を容易に構成するという観点では、断面形状が直角二等辺三角形（ｎ＝２）であるものが有利である。  
【００４５】
［第２実施形態］
図３は、第２実施形態のレーザー光源装置１００Ｅの概略構成を示す模式図である。第２実施形態が前記第１実施形態と異なる点は、基板１０と光軸変換素子２０Ｅとの間に、波長変換素子３０、及びバンドパスフィルター４０が配置されている点と、光軸変換素子２０Ｅの第１面２３１Ｅ、第２面２３２Ｅの特性が第１実施形態と異なっている点である。
【００４６】
本実施形態の光軸変換素子２０Ｅは、第１実施形態と同様の形状、配置になっている。第１面２３１Ｅ、第２面２３２Ｅの各々は、入射するレーザー光のうちの基本波長（ここでは１０６４ｎｍ）の赤外レーザー光のＳ偏光を反射させるとともに、変換波長（ここでは５３２ｎｍ）の緑色レーザー光を透過させる光分離膜により構成されている。なお、以下の説明では、第１面２３１Ｅ、第２面２３２Ｅに対するＰ偏光を単にＰ偏光と称する場合があり、Ｓ偏光についても同様である。
【００４７】
波長変換素子３０は、例えば非線形光学結晶であるＰＰＬＮ（ｐｅｒｉｏｄｉｃａｌｌｙ  ｐｏｌｅｄ  ｌｉｔｈｉｕｍ  ｎｉｏｂａｔｅ）で構成されており、入射するレーザー光のうちの一部を略半分の波長に変換し、２次高調波を発生させるＳＨＧとして機能する。本実施形態の波長変換素子３０は、光軸変換素子２０Ｅの第１面２３１Ｅに対するＳ偏光のレーザー光の一部についてその波長を変換するようになっている。また、波長変換素子３０において基板１０と対向する面３１は、ダイクロイックミラー等の波長選択膜により構成されており、赤外レーザー光を透過させるとともに緑色レーザー光を反射させるようになっている。
【００４８】
バンドパスフィルター４０は、入射するレーザー光のうちの所定波長帯域のレーザー光を透過させるようになっている。ここでは、赤外レーザー光の波長を中心とする波長帯域と、緑色レーザー光の波長を中心とする波長帯域とを所定波長帯域としている。波長帯域の幅としては、狭帯域化させる程度に応じて適宜選択し得る。
【００４９】
以上のような構成により、エミッター１１から射出された赤外レーザー光Ｒ１は、波長変換素子３０に入射し、その一部が緑色レーザー光Ｇ１に変換される。緑色レーザー光Ｇ１は、バンドパスフィルター４０を通って光軸変換素子２０Ｅに入射し、第１面２３１Ｅ、プリズム２１Ｅを通って射出される。また、波長変換素子３０により変換されなかった赤外レーザー光Ｒ１１は、バンドパスフィルター４０を通って光軸変換素子２０Ｅに入射する。この赤外レーザー光Ｒ１１のうちのＳ偏光は、第１実施形態と同様に第１面２３１Ｅ、第２面２３２Ｅで順に反射して、光軸変換素子２０Ｅから射出される。射出された赤外レーザー光Ｒ１３は、バンドパスフィルター４０を通った後に波長変換素子３０に再度入射し、その一部が緑色レーザー光Ｇ２に変換される。緑色レーザー光Ｇ２は、波長変換素子３０の面３１で反射し、バンドパスフィルター４０を通って光軸変換素子２０Ｅに入射した後に、第２面２３２Ｅ、プリズム２２Ｅを通って射出される。また、波長変換素子３０により変換されなかった赤外レーザー光Ｒ１４は、エミッター１２に入射した後にＤＢＲ層１２ａで反射し活性層１２ｂから発せられた赤外レーザー光とともにエミッター１２から射出される。
【００５０】
エミッター１２から射出された赤外レーザー光も同様に、波長変換素子３０、バンドパスフィルター４０、光軸変換素子２０Ｅ、バンドパスフィルター４０、波長変換素子３０Ｅをこの順に通り、波長変換素子３０を通る度にその一部が緑色レーザー光に変換される。緑色レーザー光は、第１面２３１Ｅ又は第２面２３２Ｅを通って射出され、変換されなかった赤外レーザー光はエミッター１１に入射する。
【００５１】
このように、エミッター１１、１２の各々から射出された赤外レーザー光は、そのうちの波長変換素子３０により変換されなかった赤外レーザー光が、エミッター１１、１２の間の光路を往復し共振する。共振した赤外レーザー光の一部は、波長変換素子３０により緑色レーザー光に変換されて、第１面２３１Ｅ又は第２面２３２Ｅを通って射出される。
【００５２】
以上のようなレーザー光源装置１００Ｅによれば、第１実施形態と同様に高出力なレーザー光が取り出されるとともに、波長変換素子３０により変換された所望波長のレーザー光（ここでは緑色レーザー光）を取り出すことが可能になっている。
【００５３】
また、エミッター１１、１２の間の光路にバンドパスフィルター４０が設けられているので、所定波長帯域以外のレーザー光がバンドパスフィルター４０によりカットされる。これにより、赤外レーザー光を狭帯域で共振させることができ、共振した赤外レーザー光が緑色レーザー光に変換されることにより、高出力な緑色レーザー光が得られる。また、例えば緑色レーザー光が３次高調波に変換された場合に、これをバンドパスフィルター４０によりカットさせることもできる。
【００５４】
また、エミッター１１と光軸変換素子２０Ｅとの間、及びエミッター１２と光軸変換素子２０Ｅとの間に、波長変換素子３０が設けられているので、エミッター１１、１２との間の光路の往路又は復路において、赤色レーザー光が波長変換素子３０を２回通るようになり、波長変換素子３０を１回通る場合に比べて波長変換素子３０内での光路長が２倍になる。波長変換素子における基本波から２次高調波への変換効率は光路長が長くなるほど高くなるので、赤外レーザー光を緑色レーザー光に効率よく変換することができる。また、所定の変換効率を得るために必要な波長変換素子の光路に沿う厚みとしては、赤外レーザー光が波長変換素子を１回通るものに比べて半分にすることができるので、レーザー光源装置を小型化することも可能になる。
【００５５】
なお、一方のエミッターと光軸変換素子との間の光路、又は他方のエミッターと光学変換素子との間の光路のうちの片方のみに波長変換素子を配置してもよい。例えば、一方のエミッタ側のみに波長変換素子を配置する場合には、第２面を入射光が略全反射するミラー面としてもよい。このようにすれば、第１面からのみレーザー光が取り出されるので、第１面及び第２面から取り出される場合に比べて、得られるレーザー光の強度が強くなる。また、単純なミラー面で第２面を構成することにより、レーザー光源装置を構成することが容易になる。
また、バンドパスフィルター４０の配置等について適宜変更してもよく、具体的には以下の変形例４のようなものが挙げられる。
【００５６】
図４は、第２実施形態とバンドパスフィルターの配置が異なる変形例４のレーザー光源装置１００Ｆの概略構成を示す模式図である。変形例４のバンドパスフィルター４０は、波長変換素子３０と基板１０との間に設けられている。変形例４の光軸変換素子２０Ｆは、第２実施形態の光軸変換素子２０Ｅと同様のものであり、第３面２３３Ｅには、反射防止膜５０が設けられており、波長変換素子３０から光軸変換素子２０Ｅ側に射出された赤外レーザー光、あるいは緑色レーザー光が第３面２３３Ｅで反射しないようになっている。これにより、反射による光利用効率の低下が防止され、高出力な緑色レーザー光が得られるようになる。
この他にも波長変換素子における射出面、あるいは波長変換素子から射出されたレーザー光が光軸変換素子に入射する面に、バンドパスフィルターと同様の特性を持つ膜が形成されている構成としてもよい。
【００５７】
［第３実施形態］
図５（ａ）は、第３実施形態のレーザー光源装置１００Ｅの概略構成を示す模式図である。本実施形態が第２実施形態と異なる点は、複数組の一対のエミッターを備えている点である。図３（ａ）に示すように、本実施形態では８つのエミッター１１〜１８が基板１０に等間隔で並んでおり、そのうちの最も外側に配置された２つのエミッター１１、１２が一対になっており、その内側に配置された２つのエミッター１３、１４が一対になっている。一対のエミッターの中心位置は、複数組で一致している。例えば、エミッター１１とエミッター１２とのＸ方向における中心位置と、エミッター１１とエミッター１２とのＸ方向における中心位置とは、一致している。ここでは、複数組の一対のエミッターに共通して１つの光軸変換素子２０Ｇが設けられている。光軸変換素子２０Ｇは、第２実施形態の光軸変換素子２０Ｅと同様のものであり、プリズム２１Ｇ、２２Ｇ、２３Ｇからなっている。プリズム２１Ｇ、２２Ｇ、２３Ｇは、いずれも複数の複数組の一対のエミッターに共通して設けられている。
【００５８】
レーザー光源装置１００Ｇにあっては、第２実施形態と同様に複数組の各々から高出力な所望波長のレーザー光を取り出すことができる。また、複数組の一対のエミッターを備えていることにより、取り出されるレーザー光の総出力が第２実施形態に比べて格段に高くなる。また、複数組の一対のエミッターで共通して光軸変換素子２０Ｇが設けられているので、基板１０と波長変換素子３０との位置合わせを行うことにより、一対のエミッターと波長変換素子３０との位置合わせを複数組で一括して行うことができる。これにより、位置合わせの容易さが第２実施形態と同様でありながら、第２実施形態よりも格段に高出力なレーザー光が得られるレーザー光源装置１００Ｇとなる。
【００５９】
なお、複数組の一対のエミッターを備えた構成を採用する場合に、複数組の各々の対応する部分においてバンドパスフィルターの特性を互いに異ならせることにより、複数組の各々から射出されるレーザー光の波長帯域を異ならせるようにしてもよい。これにより、レーザー光源装置から射出されるレーザー光全体でのコヒーレンスが低くなるので、スペックルを低減することができる。また、複数組の一対のエミッターを備えた構成とする場合についても、複数組の各々で光軸変換素子を独立させた構成としてもよく、具体的には以下の変形例５のようなものが挙げられる。
【００６０】
図５（ｂ）は、第３実施形態と光軸変換素子の構成が異なる変形例５のレーザー光源装置１００Ｈの概略構成を示す模式図である。図５（ｂ）に示すように、変形例５においても８つのエミッター１１〜１８が基板１０に等間隔で並んでいる。エミッター１１〜１８は、配列の端から２つごとに一対になっている。例えば、エミッター１１、１２が一対になっており、エミッター１３、１４が一対になっている。変形例５の光軸変換素子２０Ｈは、プリズム２１Ｈ、２２Ｈ、２３Ｈからなっている。プリズム２３Ｈは、第１面２３１Ｈ、第２面２３２Ｈを有しており、一対のエミッターの間でレーザー光を往復させるようにエミッターから射出されたレーザー光の光軸を折り曲げる機能を有している。プリズム２１Ｈ、２２Ｈは、第１実施形態の光軸変換素子２０Ａにおけるプリズム２１Ａ、２２Ａと同様の機能を有しており、第１面２３１Ｈ、第２面２３２Ｈを通る光の屈折を防止し、取り出されるレーザー光の光軸を調整するものである。プリズム２１Ｈは、最も外側に配置されたプリズム２３Ｈに当接して設けられており、プリズム２２Ｈはプリズム２３Ｈの間を埋めて設けられている。
【００６１】
このような構成によれば、第３実施形態の光軸変換素子２０Ｇよりも光軸変換素子２０Ｈにおけるエミッター形成面に直交する方向（Ｙ方向）の厚みを小さくすることができ、レーザー光源装置を小型化することが可能になる。また、光軸変換素子２０Ｈ内の光路長が光軸変換素子２０Ｇよりも短くなるので、一対のエミッターの間の光路長に占める波長変換素子３０内の光路長の割合が大きくなる。したがって、光軸変換素子２０Ｈ内の吸収等による損失が小さくなるとともに基本波長のレーザー光を変換波長のレーザー光に効率よく変換することが可能になる。
なお、第３実施形態と変形例５とを組み合わせた構成を採用してもよい。例えば、複数組（例えば２組）の一対のエミッターを１グループとし複数のグループを設けるとともに、グループごとに第１面と第２面とを有するプリズムを設けるようにしてもよい。
また、第３実施形態や変形例５では、複数組の一対のエミッターを構成する各々のエミッター１１〜１８が、１つの配列方向（Ｘ方向）に沿って配列されているが、複数組の一対のエミッターを構成する各々の一対のエミッターが、一対のエミッターにおけるエミッターの配列方向と交差する方向に配列されている構成としてもよい。例えば、第１実施形態のレーザー光源装置１００Ａにおいて一対になるエミッター１１、１２がＸ方向に並んでいるが、このような一対のエミッターをＸ方向と交差する方向、例えばＺ方向に沿って配列してもよい。また、第３実施形態や変形例５のエミッター１１〜１８のようにＸ方向に並ぶエミッター群を、Ｚ方向に沿って複数配置することにより、２次元的に複数のエミッターを配列してもよい。
【００６２】
次に、本発明のプロジェクターの実施形態を説明する。図６は、本実施形態のプロジェクター４００を示す概略構成図である。図６に示すように、プロジェクター４００は、レーザー光源装置４１０Ｒ、４１０Ｇ、４１０Ｂ、透過型の液晶ライトバルブ（光変調装置）４３０Ｒ、４３０Ｇ、４３０Ｂと、クロスダイクロイックプリズム４４０と、投射装置４５０とを備えている。レーザー光源装置４１０Ｒ、４１０Ｇ、４１０Ｂはそれぞれ赤色光、緑色光、青色光を射出し、射出された各色光はそれぞれ液晶ライトバルブ４３０Ｒ、４３０Ｇ、４３０Ｂにより変調される。変調された各色光はクロスダイクロイックプリズム４４０により合成され、合成された光は投射装置４５０により投射される。
【００６３】
また、本実施形態のプロジェクター４００は、レーザー光源装置４１０Ｒ、４１０Ｇ、４１０Ｂから射出されたレーザー光の照度分布を均一化する均一化光学系４２０Ｒ、４２０Ｇ、４２０Ｂを備えている。これにより、液晶ライトバルブ４３０Ｒ、４３０Ｇ、４３０Ｂが、均一な照度分布の光によって照明される。ここでは、均一化光学系４２０Ｒがホログラム４２１Ｒとフィールドレンズ４２２Ｒ等により構成されており、均一化光学系４２０Ｇ，４２０Ｂも同様の構成になっている。
【００６４】
液晶ライトバルブ４３０Ｒ、４３０Ｇ、４３０Ｂの各々により変調された色光は、クロスダイクロイックプリズム４４０に入射する。クロスダイクロイックプリズム４４０は４つの直角プリズムを貼り合わせて形成され、その内面に赤色光を反射する誘電体多層膜と青色光を反射する誘電体多層膜とが十字状に配置されている。３つの色光は、これらの誘電体多層膜によって合成され、カラー画像を表す光になる。合成された光が投射装置４５０によりスクリーン４６０上に拡大投写されることにより、投射画像が表示されるようになっている。
【００６５】
本実施形態のプロジェクター４００にあっては、レーザー光源装置４１０Ｒ、４１０Ｇ、４１０Ｂが本発明のレーザー光源装置により構成されているので、ダイナミックレンジが広く高品質な投射画像が得られるプロジェクターになる。また、レーザー光源装置４１０Ｒ、４１０Ｇ、４１０Ｂが高効率になっているので、低消費電力のプロジェクターになる。
【００６６】
なお、光変調装置として透過型の液晶ライトバルブを用いたが、反射型のライトバルブを用いても良いし、液晶以外の光変調装置を用いても良い。このようなライトバルブとしては、例えば、反射型液晶ライトバルブやデジタルミラーデバイス（ＤＭＤ）が挙げられる。投射光学系の構成は、使用されるライトバルブの種類によって適宜変更すればよい。また、色光合成手段として、クロスダイクロイックプリズムを用いることとしたが、これに限るものではない。色光合成手段としては、例えば、ダイクロイックミラーをクロス配置とし色光を合成するもの、ダイクロイックミラーを平行に配置し色光を合成するものを用いることができる。
【００６７】
次に、本発明に係る別形態のプロジェクターについて説明する。本実施形態が前記実施形態と異なる点は、走査型プロジェクターである点である。図７は、本実施形態の走査型プロジェクターを示す概略構成図である。
本実施形態の走査型プロジェクター５００は、レーザー光源装置５１０と、集光レンズ５２０と、ＭＥＭＳミラー（光変調装置、投射装置）５３０とを備えている。レーザー光源装置５１０から射出されたレーザー光は、集光レンズ５２０によってＭＥＭＳミラー５３０に集光される。集光されたレーザー光は、ＭＥＭＳミラー５３０によって変調されるとともに、ＭＥＭＳミラー５３０の駆動によってスクリーン５４０上において水平方向、垂直方向に走査される。これにより、スクリーン５４０に画像が描画されるようになっている。
【００６８】
次に、本発明に係るモニター装置の一実施形態を説明する。図８は、本実施形態のモニター装置を示す概略構成図である。本実施形態のモニター装置６００は、装置本体６１０と光伝送部６２０とを備えており、装置本体６１０には、カメラ（撮像装置）６１１と本発明のレーザー光源装置６１２とが設けられている。光伝送部６２０には、照明用のライトガイド６２１と受光用のライトガイド６２２が設けられている。ライトガイド６２１、６２２は、多数本の光ファイバを束ねたものであり、レーザー光を遠方に送ることができる。照明用のライトガイド６２１において、射出側となる一方の端（先端）に拡散板６２３が設けられており、他方の端はレーザー光源装置６１２と接続されている。レーザー光源装置６１２から射出されたレーザー光は、ライトガイド６２１を通じて拡散板６２３に送られ、拡散板６２３により拡散されて被写体を照射する。
【００６９】
光伝送部６２０の先端には結像レンズ６２４が設けられており、被写体の表面で反射した光は結像レンズ６２４に入射する。結像レンズ６２４に入射した光は、受光用のライトガイド６２２を通じて装置本体６１０内に設けられたカメラ６１１に送られる。このように、レーザー光源装置６１２から射出されたレーザー光が被写体を照射し、被写体表面で反射した光をカメラ６１１で撮像することが可能になっている。
【００７０】
本実施形態のモニター装置６００によれば、本発明のレーザー光源装置６１２を照明に用いているので、高出力なレーザー光で被写体を照明することができる。したがって、被写体表面で反射する光の光量が確保され、鮮明な撮像画像が得られる良好なモニター装置となる。
【符号の説明】
【００７１】
１０・・・基板、１１〜１８・・・エミッター（発光部）、１１ａ，１２ａ・・・ＤＢＲ層（反射層）、１１ｂ，１２ｂ・・・活性層、２０Ａ〜２０Ｈ・・・光軸変換素子、２３１Ａ〜２３１Ｈ・・・第１面、２３２Ａ〜２３２Ｈ・・・第２面、３０・・・波長変換素子、４０・・・バンドパスフィルター、１００Ａ〜１００Ｈ，４１０Ｒ，４１０Ｇ，４１０Ｂ，５１０，６１２・・・レーザー光源装置、４００・・・プロジェクター、５００・・・走査型プロジェクター（プロジェクター）、６００・・・モニター装置。
【図１】
2011142243.tif 000003
【図２】
2011142243.tif 000004
【図３】
2011142243.tif 000005
【図４】
2011142243.tif 000006
【図５】
2011142243.tif 000007
【図６】
2011142243.tif 000008
【図７】
2011142243.tif 000009
【図８】
2011142243.tif 000010
【図９】
2011142243.tif 000011